(57)【特許請求の範囲】
【請求項１】
第１通信信号を構成する第１送信信号および第１受信信号と、第２通信信号を構成する第２送信信号および第２受信信号と、を送受信する高周波フロントエンドモジュールであって、
前記第１送信信号が入力される第１送信信号入力端子と、
前記第１送信信号を出力し前記第１受信信号を入力する第１共通端子と、
前記第２送信信号が入力される第２送信信号入力端子と、
前記第２送信信号を出力し前記第２受信信号を入力する第２共通端子と、
前記第１受信信号および前記第２受信信号を出力する受信信号出力端子と、
前記第１送信信号入力端子と前記第１共通端子との間に接続され、前記第１送信信号の周波数帯域を通過帯域とし、前記第１受信信号の周波数帯域が減衰帯域内となる第１送信側フィルタと、
前記第２送信信号入力端子と前記第２共通端子との間に接続され、前記第２送信信号の周波数帯域を通過帯域とし、前記第２受信信号の周波数帯域が減衰帯域内となる第２送信側フィルタと、
前記第１共通端子および前記第２共通端子がそれぞれ接続される複数の個別ポート、および当該複数の個別ポートが個別に切り替えて接続される共通ポートを備えたスイッチ素子と、
前記共通ポートと前記受信信号出力端子との間に接続され、前記第１受信信号および前記第２受信信号の周波数帯域を通過帯域とする受信側フィルタと、
を備え、
前記受信側フィルタとして、前記第１受信信号の周波数帯域および前記第２受信信号の周波数帯域を含む単一の通過帯域を有する帯域通過フィルタのみを備えた高周波フロントエンドモジュール。
【請求項２】
前記第１受信信号の周波数帯域と前記第２受信信号の周波数帯域とが、少なくとも一部の周波数帯域で重なる、請求項１に記載の高周波フロントエンドモジュール。
【請求項３】
前記第１受信信号の周波数帯域が前記第２受信信号の周波数帯域を含む、請求項２に記載の高周波フロントエンドモジュール。
【請求項４】
前記受信側フィルタは、不平衡−平衡変換機能付きフィルタであり、平衡端子側が前記受信信号出力端子へ接続されている、請求項１乃至請求項３のいずれかに記載の高周波フロントエンドモジュール。
【請求項５】
第１通信信号を構成する第１送信信号および第１受信信号と、第２通信信号を構成する第２送信信号および第２受信信号と、を送受信する高周波フロントエンドモジュールであって、
前記第１送信信号が入力される第１送信信号入力端子と、
前記第１送信信号を出力し前記第１受信信号を入力する第１共通端子と、
前記第２送信信号が入力される第２送信信号入力端子と、
前記第２送信信号を出力し前記第２受信信号を入力する第２共通端子と、
前記第１受信信号および前記第２受信信号を出力する受信信号出力端子と、
前記第１送信信号入力端子と前記第１共通端子との間に接続され、前記第１送信信号の周波数帯域を通過帯域とし、前記第１受信信号の周波数帯域が減衰帯域内となる第１送信側フィルタと、
前記第２送信信号入力端子と前記第２共通端子との間に接続され、前記第２送信信号の周波数帯域を通過帯域とし、前記第２受信信号の周波数帯域が減衰帯域内となる第２送信側フィルタと、
前記第１共通端子および前記第２共通端子がそれぞれ接続される複数の個別ポート、および当該複数の個別ポートが個別に切り替えて接続される共通ポートを備えるスイッチ素子と、
前記共通ポートと前記受信信号出力端子との間に接続され、前記第１受信信号および前記第２受信信号の周波数帯域を通過帯域とする受信側フィルタと、
を備え、
前記受信側フィルタは、前記共通ポートに接続される不平衡端子と前記受信信号出力端子に接続される平衡端子とを備える不平衡−平衡変換機能付きフィルタである、
高周波フロントエンドモジュール。
【請求項６】
前記受信側フィルタは、前記第１受信信号の周波数帯域を通過帯域とする第１の受信側フィルタと、前記第２受信信号の周波数帯域を通過帯域とする第２の受信側フィルタとで構成される、請求項５に記載の高周波フロントエンドモジュール。
【請求項７】
前記受信側フィルタは、前記第１送信側フィルタまたは前記第２送信側フィルタとでデュプレクサを構成する、請求項１乃至請求項６のいずれかに記載の高周波フロントエンドモジュール。
【請求項８】
前記第１送信側フィルタ、前記第２送信側フィルタおよび前記受信側フィルタは、ＳＡＷフィルタである、請求項１乃至請求項７のいずれかに記載の高周波フロントエンドモジュール。
【発明の詳細な説明】
【技術分野】
【０００１】
本発明は、通信周波数帯域が異なる複数の通信信号を、これら複数の通信信号に対する共通のアンテナで送受信するための高周波フロントエンドモジュールに関する。
【背景技術】
【０００２】
従来、通信周波数帯域が異なる複数の通信信号を送受信する高周波フロントエンドモジュールが各種実用化されている。この中で、複数の通信信号に対する共通のアンテナによって、該複数の通信信号を送受信する高周波フロントエンドモジュールがある。
【０００３】
このような共通アンテナを用いる場合、一般的には、スイッチ素子により、各通信信号の送受信回路を共通アンテナに切り替えて接続する。さらに、各通信信号の送信回路と受信回路は、特許文献１に示すように、送信周波数を通過させるフィルタと受信周波数を通過させるフィルタとから構成されるデュプレクサを介してスイッチ素子に接続される。
【０００４】
ところで、現在規定されているＷ−ＣＤＭＡ（Ｗｉｄｅ  Ｂａｎｄ  Ｃｏｄｅ  Ｄｉｖｉｓｉｏｎ  Ｍｕｌｔｉｐｌｅ  Ａｃｃｅｓｓ）通信方式においては、Ｂａｎｄ１の通信信号の受信周波数帯域が２１１０ＭＨｚから２１７０ＭＨｚであり、Ｂａｎｄ４の通信信号の受信周波数帯域が２１１０ＭＨｚから２１５５ＭＨｚである。したがって、Ｂａｎｄ１の通信信号の受信周波数帯域とＢａｎｄ４の通信信号の受信周波数帯域とは部分的に重なる。
【０００５】
このような場合、従来では、図１に示すような高周波フロントエンドモジュールが用いられていた。図１は、従来の高周波フロントエンドモジュール１０Ｐの回路図である。高周波フロントエンドモジュール１０Ｐは、パワーアンプ１１，１２、デュプレクサ２１，２２、スイッチＩＣ３０Ｐを備える。
【０００６】
第１送信信号入力端子Ｐｔｘ１から入力された第１通信信号の送信信号（第１送信信号）は、パワーアンプ１１、デュプレクサ２１の送信側フィルタ２１１を介して第１共通端子Ｐｃ１へ出力される。
【０００７】
第２送信信号入力端子Ｐｔｘ２から入力された第２通信信号の送信信号（第２送信信号）は、パワーアンプ１２、デュプレクサ２２の送信側フィルタ２２１を介して第２共通端子Ｐｃ２へ出力される。第１共通端子Ｐｃ１から出力された第１送信信号および第２共通端子Ｐｃ２から出力された第２送信信号は、図示しないスイッチ素子を介して共通アンテナから外部へ送信される。
【０００８】
共通アンテナ、スイッチ素子（ともに図示せず）を介して第１共通端子Ｐｃ１に入力された第１通信信号の受信信号（第１受信信号）は、デュプレクサ２１の受信側フィルタ２１２を介して、スイッチＩＣ３０Ｐへ出力される。
【０００９】
共通アンテナ、スイッチ素子（ともに図示せず）を介して第２共通端子Ｐｃ２に入力された第２通信信号の受信信号（第２受信信号）は、デュプレクサ２２の受信側フィルタ２２２を介して、スイッチＩＣ３０Ｐへ出力される。
【００１０】
スイッチＩＣ３０Ｐは、第１受信信号の受信制御時には第１受信信号を受信信号出力端子Ｐｒｘ１２へ出力し、第２受信信号の受信制御時には第２受信信号を受信信号出力端子Ｐｒｘ１２へ出力する。
【先行技術文献】
【特許文献】
【００１１】
【特許文献１】特開２０１０−０４５５６３号公報
【発明の概要】
【発明が解決しようとする課題】
【００１２】
しかしながら、図１に示したような従来の高周波フロントエンドモジュール１０Ｐでは、通信信号毎にデュプレクサを備えているため、回路規模が大きくなってしまう。また、受信信号に対して当該高周波フロントエンドモジュール１０Ｐの後段となる受信信号の復調回路等の仕様から、受信信号は、通常、平衡型信号で出力される必要があり、従来のスイッチＩＣ３０Ｐは、ＤＰ４Ｔスイッチとなっている。この点においても、回路規模が大きくなる。したがって、従来の高周波フロントエンドモジュール１０Ｐは、小型化が困難となっていた。
【００１３】
したがって、本発明の目的は、従来の高周波フロントエンドモジュールと同等の機能を有しながら、回路規模が小さい高周波フロントエンドモジュールを実現することにある。
【課題を解決するための手段】
【００１４】
この発明は、第１通信信号を構成する第１送信信号および第１受信信号と、第２通信信号を構成する第２送信信号および第２受信信号と、を送受信する高周波フロントエンドモジュールに関するものである。この高周波フロントエンドモジュールは、第１送信信号が入力される第１送信信号入力端子と、第１送信信号を出力し前記第１受信信号を入力する第１共通端子と、を備える。高周波フロントエンドモジュールは、第２送信信号が入力される第２送信信号入力端子と、第２送信信号を出力し第２受信信号を入力する第２共通端子と、を備える。高周波フロントエンドモジュールは、第１受信信号および第２受信信号を出力する受信信号出力端子を備える。高周波フロントエンドモジュールは、第１送信信号入力端子と第１共通端子との間に接続され第１送信信号の周波数帯域を通過帯域として第１受信信号の周波数帯域が減衰帯域内となる第１送信側フィルタと、第２送信信号入力端子と第２共通端子との間に接続され第２送信信号の周波数帯域を通過帯域として第２受信信号の周波数帯域が減衰帯域内となる第２送信側フィルタと、を備える。高周波フロントエンドモジュールは、第１共通端子および第２共通端子がそれぞれ接続される複数の個別ポート、および当該複数の個別ポートが個別に切り替えて接続される共通ポートを備えたスイッチ素子と、共通ポートと受信信号出力端子との間に接続され、第１受信信号および第２受信信号の周波数帯域を通過帯域とする受信側フィルタと、を備える。この高周波フロントエンドモジュールは、前記受信側フィルタとして、前記第１受信信号の周波数帯域および前記第２受信信号の周波数帯域を含む単一の通過帯域を有する帯域通過フィルタのみを備える。
【００１５】
この構成では、第１共通端子および第２共通端子から入力される第１受信信号および第２受信信号が、スイッチ素子によって選択的に受信側フィルタへ入力される。受信側フィルタでは、第１受信信号および第２受信信号の周波数帯域成分が濾波され、受信信号出力端子から、後段回路（復調回路等）へ出力される。これにより、受信信号毎に個別に受信フィルタを備えなくてもよく、回路規模を小さくすることができ、高周波フロントエンドモジュールを小型化できる。
【００１６】
または、この発明の高周波フロントエンドモジュールは、前記受信側フィルタが、前記共通ポートに接続される不平衡端子と前記受信信号出力端子に接続される平衡端子とを備える不平衡−平衡変換機能付きフィルタである。この受信側フィルタは、第１受信信号の周波数帯域を通過帯域とする第１の受信側フィルタと、第２受信信号の周波数帯域を通過帯域とする第２の受信側フィルタとで構成することも可能である。
【００１７】
この構成であっても、従来構成よりも回路規模を小さくすることができる。
【００１８】
また、この発明の高周波フロントエンドモジュールでは、第１受信信号の周波数帯域と第２受信信号の周波数帯域とが、少なくとも一部の周波数帯域で重なることが好ましい。
【００１９】
この構成では、受信側フィルタの通過帯域が、一方の受信信号の周波数帯域と、これに重ならない他方の受信信号の周波数帯域とを含む範囲で済み、受信側フィルタの通過帯域が広帯域にならず、各送信信号の周波数帯域からも離間しやすいので、設計が容易となる。
【００２０】
また、この発明の高周波フロントエンドモジュールでは、第１受信信号の周波数帯域が第２受信信号の周波数帯域を含む場合にも適用可能である。
【００２１】
この構成では、受信側フィルタの通過帯域を、第１受信信号の周波数帯域に設定すればよく、さらに受信側フィルタの設計が容易になる。
【００２２】
また、この発明の高周波フロントエンドモジュールでは、受信側フィルタは、第１送信側フィルタまたは第２送信側フィルタとでデュプレクサを構成することが好ましい。
【００２３】
この構成では、受信側フィルタと一方の送信側フィルタとが一体化されることで、高周波フロントエンドモジュールを、さらに小型化できる。
【００２４】
また、この発明の高周波フロントエンドモジュールでは、第１送信側フィルタ、第２送信側フィルタおよび受信側フィルタは、ＳＡＷフィルタであることが好ましい。
【００２５】
この構成では、各フィルタの具体的な構成を示している。ＳＡＷフィルタの場合、高周波フロントエンドモジュールを構成する積層体内の電極パターンでは実現が容易でなく、実装部品となるため、上述の回路構成がより有効に作用する。
【００２６】
また、この発明の高周波フロントエンドモジュールでは、受信側フィルタは、不平衡−平衡変換機能付きフィルタであり、平衡端子側が受信信号出力端子へ接続されていることが好ましい。
【００２７】
この構成では、スイッチ素子が、不平衡信号用となるため、平衡信号用スイッチ素子よりも小型化が可能になる。これにより、高周波フロントエンドモジュールを、さらに小型化できる。
【発明の効果】
【００２８】
この発明によれば、回路規模が小さい高周波フロントエンドモジュールを実現することができる。
【図面の簡単な説明】
【００２９】
【図１】従来の高周波フロントエンドモジュール１０Ｐの回路図である。
【図２】第１の実施形態に係る高周波フロントエンドモジュール１０の回路図である。
【図３】受信側フィルタ２０の減衰特性（通過特性）を示す図である。
【図４】第２の実施形態に係る高周波フロントエンドモジュール１０Ａの回路図である。
【図５】その他の構成からなる高周波フロントエンドモジュール１０Ｂの回路図である。
【発明を実施するための形態】
【００３０】
本発明の第１の実施形態に係る高周波フロントエンドモジュール１０について、図を参照して説明する。図２は、本実施形態に係る高周波フロントエンドモジュール１０の回路図である。
【００３１】
高周波フロントエンドモジュール１０は、パワーアンプ１１，１２、送信側フィルタ２１１，２２１、受信側フィルタ２０、スイッチＩＣ３０を備える。
【００３２】
第１送信信号入力端子Ｐｔｘ１は、パワーアンプ１１の入力端に接続している。パワーアンプ１１の出力端は、第１送信側フィルタに相当する送信側フィルタ２１１に接続している。
【００３３】
送信側フィルタ２１１は、第１通信信号の送信信号の周波数帯域を通過帯域とし、第１通信信号の受信信号、第２通信信号の送信信号、および第２通信信号の受信信号の周波数帯域が減衰帯域内となるフィルタである。例えば、送信側フィルタ２１１はＳＡＷフィルタで構成される。なお、以下では、第１通信信号の送信信号を第１送信信号と称し、第１通信信号の受信信号を第１受信信号と称する。また、第２通信信号の送信信号を第２送信信号と称し、第２通信信号の受信信号を第２受信信号と称する。
【００３４】
送信側フィルタ２１１のパワーアンプ１１と反対側の端子は、第１共通端子Ｐｃ１に接続している。
【００３５】
第２送信信号入力端子Ｐｔｘ２は、パワーアンプ１２の入力端に接続している。パワーアンプ１２の出力端は、第２送信側フィルタに相当する送信側フィルタ２２１に接続している。
【００３６】
送信側フィルタ２２１は、第２送信信号の周波数帯域を通過帯域とし、第２受信信号、第１送信信号、および第１受信信号の周波数帯域が減衰帯域内となるフィルタである。例えば、送信側フィルタ２２１はＳＡＷフィルタで構成される。
【００３７】
送信側フィルタ２２１のパワーアンプ１２と反対側の端子は、第２共通端子Ｐｃ２に接続している。
【００３８】
スイッチＩＣ３０は、共通ポートと第１、第２個別ポートとを備える。共通ポートは第１個別ポートまたは第２個別ポートに対して、選択的に接続される。すなわち、外部からの制御信号により、共通ポートは、第１個別ポートと第２個別ポートのいずれかに接続する。
【００３９】
スイッチＩＣ３０の第１個別ポートは、第１共通端子Ｐｃ１に接続している。スイッチＩＣ３０の第２個別ポートは、第２共通端子Ｐｃ２に接続している。スイッチＩＣ３０の共通ポートは、受信側フィルタ２０に接続している。
【００４０】
受信側フィルタ２０は、第１受信信号および第２受信信号の周波数帯域を通過帯域とし、第１送信信号、第２送信信号の周波数帯域が減衰帯域内となるフィルタである。例えば、受信側フィルタ２０は、不平衡−平衡変換機能付きのＳＡＷフィルタで構成される。
【００４１】
受信側フィルタ２０の不平衡端子は、スイッチＩＣ３０に接続している。受信側フィルタ２０の平衡端子は、平衡型の受信信号出力端子Ｐｒｘ１２に接続している。
【００４２】
このような構成の高周波フロントエンドモジュール１０において、第１通信信号としてＷ−ＣＤＭＡ（Ｂａｎｄ１）信号を送受信し、第２通信信号としてＷ−ＣＤＭＡ（Ｂａｎｄ４）信号を送受信する。
【００４３】
この場合、受信側フィルタ２０の減衰特性は、図３に示すように設定される。図３は受信側フィルタ２０の減衰特性（通過特性）を示す図である。図３に示すように、受信側フィルタ２０は、第１受信信号であるＷ−ＣＤＭＡ（Ｂａｎｄ１）の受信信号の周波数帯域（２１１０ＭＨｚ〜２１７０ＭＨｚ）、および、第２受信信号であるＷ−ＣＤＭＡ（Ｂａｎｄ４）の受信信号の周波数帯域（２１１０ＭＨｚ〜２１５５ＭＨｚ）が通過帯域となるよう特性が設定されている。すなわち、Ｗ−ＣＤＭＡ（Ｂａｎｄ４）の受信信号の周波数帯域がＷ−ＣＤＭＡ（Ｂａｎｄ１）の受信信号の周波数帯域に含まれるため、Ｗ−ＣＤＭＡ（Ｂａｎｄ１）の受信信号の周波数帯域である２１１０ＭＨｚ〜２１７０ＭＨｚを通過帯域とし、この帯域に対して周波数軸上で前後する周波数帯を減衰帯域とするように、設定されている。
【００４４】
（ｉ）Ｗ−ＣＤＭＡ（Ｂａｎｄ１）送信信号（第１送信信号）の送信時
この場合、スイッチＩＣ３０は、共通ポートと第２個別ポートとが接続されるように、すなわち共通端子と第１個別端子とが接続されないように、制御されている。
【００４５】
このように第１送信信号の送信時に、スイッチＩＣ３０の第１個別ポートと共通ポートが接続されないようにすることで、第１送信信号が第１個別ポートと共通ポートを経由して、受信信号出力端子Ｐｒｘ１２へ漏洩することを防ぐことができる。
【００４６】
Ｗ−ＣＤＭＡ（Ｂａｎｄ１）送信信号は、第１送信信号入力端子Ｐｔｘ１から入力され、パワーアンプ１１で増幅される。増幅後のＷ−ＣＤＭＡ（Ｂａｎｄ１）送信信号は、送信側フィルタ２１１で高調波除去され、第１共通端子Ｐｃ１から出力される。第１共通端子Ｐｃ１から出力されたＷ−ＣＤＭＡ（Ｂａｎｄ１）送信信号は、図示しないスイッチ回路を介して共通アンテナから送信される。
【００４７】
（ｉｉ）Ｗ−ＣＤＭＡ（Ｂａｎｄ１）受信信号（第１受信信号）の受信時
この場合、スイッチＩＣ３０は、共通端ポートと第１個別ポートとが接続されるように、制御されている。
【００４８】
第１共通端子Ｐｃ１から入力されたＷ−ＣＤＭＡ（Ｂａｎｄ１）受信信号は、スイッチＩＣ３０の第１個別ポートへ伝送される。この際、Ｗ−ＣＤＭＡ（Ｂａｎｄ１）受信信号は、送信側フィルタ２１１にも伝送されるが、送信側フィルタ２１１はＷ−ＣＤＭＡ（Ｂａｎｄ１）受信信号の周波数帯域が減衰帯域内であるので、パワーアンプ１１側には、Ｗ−ＣＤＭＡ（Ｂａｎｄ１）受信信号が伝送されない。
【００４９】
Ｗ−ＣＤＭＡ（Ｂａｎｄ１）受信信号は、スイッチＩＣの第１個別ポートから共通ポートへ伝送され、受信側フィルタ２０へ入力される。受信側フィルタ２０は、Ｗ−ＣＤＭＡ（Ｂａｎｄ１）受信信号を通過させるとともに、高調波のノイズ成分等を除去して、受信信号出力端子Ｐｒｘ１２へ出力する。この際、受信側フィルタ２０は、不平衡型のＷ−ＣＤＭＡ（Ｂａｎｄ１）受信信号を平衡型へ変換して出力する。
【００５０】
平衡型のＷ−ＣＤＭＡ（Ｂａｎｄ１）受信信号は、受信信号出力端子Ｐｒｘ１２から、図示しない後段回路（復調回路等）へ出力される。
【００５１】
（ｉｉｉ）Ｗ−ＣＤＭＡ（Ｂａｎｄ４）送信信号（第２送信信号）の送信時
この場合、スイッチＩＣ３０は、共通ポートと第１個別ポートとが接続されるように、すなわち共通ポートと第２個別ポートとが接続されないように、制御されている。
【００５２】
このように第２送信信号の送信時に、スイッチＩＣ３０の第２個別ポートと共通ポートが接続されないようにすることで、第２送信信号が第２個別ポートと共通ポートを経由して、受信信号出力端子Ｐｒｘ１２へ漏洩することを防ぐことができる。
【００５３】
Ｗ−ＣＤＭＡ（Ｂａｎｄ４）送信信号は、第２送信信号入力端子Ｐｔｘ２から入力され、パワーアンプ１２で増幅される。増幅後のＷ−ＣＤＭＡ（Ｂａｎｄ４）送信信号は、送信側フィルタ２２１で高調波除去され、第２共通端子Ｐｃ２から出力される。第２共通端子Ｐｃ２から出力されたＷ−ＣＤＭＡ（Ｂａｎｄ４）送信信号は、図示しないスイッチ回路を介して共通アンテナから送信される。
【００５４】
（ｉｖ）Ｗ−ＣＤＭＡ（Ｂａｎｄ４）受信信号（第２受信信号）の受信時
この場合、スイッチＩＣ３０は、共通ポートと第２個別ポートとが接続されるように、制御されている。
【００５５】
第２共通端子Ｐｃ２から入力されたＷ−ＣＤＭＡ（Ｂａｎｄ４）受信信号は、スイッチＩＣ３０の第２個別ポートへ伝送される。この際、Ｗ−ＣＤＭＡ（Ｂａｎｄ４）受信信号は、送信側フィルタ２２１にも伝送されるが、送信側フィルタ２２１はＷ−ＣＤＭＡ（Ｂａｎｄ４）受信信号の周波数帯域が減衰帯域内であるので、パワーアンプ１２側には、Ｗ−ＣＤＭＡ（Ｂａｎｄ４）受信信号が伝送されない。
【００５６】
Ｗ−ＣＤＭＡ（Ｂａｎｄ４）受信信号は、スイッチＩＣの第２個別ポートから共通ポートへ伝送され、受信側フィルタ２０へ入力される。受信側フィルタ２０は、Ｗ−ＣＤＭＡ（Ｂａｎｄ４）受信信号を通過させるとともに、高調波のノイズ成分等を除去して、受信信号出力端子Ｐｒｘ１２へ出力する。この際、受信側フィルタ２０は、不平衡型のＷ−ＣＤＭＡ（Ｂａｎｄ４）受信信号を平衡型へ変換して出力する。
【００５７】
平衡型のＷ−ＣＤＭＡ（Ｂａｎｄ４）受信信号は、受信信号出力端子Ｐｒｘ１２から、図示しない後段回路（復調回路等）へ出力される。
【００５８】
このような構成からなる高周波フロントエンドモジュール１０は、内層電極が形成された積層体と、実装回路素子とで形成される。上述の送信側フィルタ２１１，２２１，受信側フィルタ２０、スイッチＩＣ３０は、積層体上等に実装されるディスクリート部品である。そして、これらのディスクリート部品を接続する回路パターンや上述の各端子が積層体に形成されている。
【００５９】
このため、本実施形態の構成を用いることで、従来例と比較して回路素子数を少なくでき、さらに送信側フィルタと受信側フィルタとが一体形成されたデュプレクサを通信信号の種類毎に設置しなくてもよくなる。これにより、高周波フロントエンドモジュール１０を小型化することできる。この際、小型化しても、従来の高周波フロントエンドモジュールと同等の通信特性を得ることができる。
【００６０】
また、スイッチＩＣ３０がＳＰＤＴ（Ｓｉｎｇｌｅ  Ｐｏｌｅ  Ｄｏｕｂｌｅ  Ｔｈｒｏｗ）型となるので、従来のようにＤＰＤＴ型よりも入出力端子数が低減され、さらに高周波フロントエンドモジュールを小型化することができる。
【００６１】
次に、第２の実施形態に係る高周波フロントエンドモジュール１０Ａについて、図を参照して説明する。図４は、本実施形態に係る高周波フロントエンドモジュール１０Ａの回路図である。
【００６２】
高周波フロントエンドモジュール１０Ａは、パワーアンプ１１，１２、送信側フィルタ２１１、スイッチＩＣ３０、デュプレクサ４０を備える。デュプレクサ４０は送信側フィルタ４１１と受信側フィルタ４１２とが一体形成されてなる。
【００６３】
デュプレクサ４０の送信側フィルタ４１１は、第２送信信号の周波数帯域を通過帯域とし、第２受信信号、第１送信信号、および第１受信信号の周波数帯域が減衰帯域内となるフィルタである。例えば、送信側フィルタ４１１はＳＡＷフィルタで構成される。
【００６４】
デュプレクサ４０の受信側フィルタ４１２は、第１受信信号および第２受信信号の周波数帯域を通過帯域とし、第１送信信号および第２送信信号の周波数帯域が減衰帯域内となるフィルタである。例えば、受信側フィルタ４１２は、不平衡−平衡変換機能付きのＳＡＷフィルタで構成される。
【００６５】
第１送信信号入力端子Ｐｔｘ１は、パワーアンプ１１の入力端に接続している。パワーアンプ１１の出力端は、第１送信側フィルタに相当する送信側フィルタ２１１に接続している。送信側フィルタ２１１は、第１送信信号の周波数帯域を通過帯域とし、第１受信信号、第２送信信号、および第２受信信号の周波数帯域が減衰帯域内となるフィルタである。例えば、送信側フィルタ２１１はＳＡＷフィルタで構成される。送信側フィルタ２１１のパワーアンプ１１と反対側の端子は、第１共通端子Ｐｃ１に接続している。
【００６６】
第２送信信号入力端子Ｐｔｘ２は、パワーアンプ１２の入力端に接続している。パワーアンプ１２の出力端は、デュプレクサ４０の送信側フィルタ４１１に接続している。
【００６７】
平衡型の受信信号出力端子Ｐｒｘ１２は、デュプレクサ４０の受信側フィルタ４１２に接続している。
【００６８】
デュプレクサ４０の共通端子は、スイッチＩＣ３０の共通ポートに接続されている。
【００６９】
スイッチＩＣ３０の共通ポートは、上述の第１実施形態と同様に、第１個別ポートもしくは第２個別ポートへ、選択的に接続される。スイッチＩＣ３０の第１個別ポートは第１共通端子Ｐｃ１に接続している。スイッチ素子３０の第２個別ポートは第２共通端子Ｐｃ２に接続している。
【００７０】
このような構成の高周波フロントエンドモジュール１０Ａにおいて、第１の実施形態と同様に、第１通信信号としてＷ−ＣＤＭＡ（Ｂａｎｄ１）信号を送受信し、第２通信信号としてＷ−ＣＤＭＡ（Ｂａｎｄ４）信号を送受信する。この場合、受信側フィルタ２０の減衰特性は、上述の第１実施形態と同様に、図３に示すように設定される。
【００７１】
（ｉ）Ｗ−ＣＤＭＡ（Ｂａｎｄ１）送信信号（第１送信信号）の送信時
この場合、スイッチＩＣ３０は、共通ポートと第２個別ポートとが接続されるように、すなわち共通ポートと第１個別ポートとが接続されないように、制御されている。
【００７２】
このように第１送信信号の送信時に、スイッチＩＣ３０の第１個別ポートと共通ポートが接続されないようにすることで、第１送信信号が第１個別ポートと共通ポートを経由して、受信信号出力端子Ｐｒｘ１２へ漏洩することを防ぐことができる。
【００７３】
Ｗ−ＣＤＭＡ（Ｂａｎｄ１）送信信号は、第１送信信号入力端子Ｐｔｘ１から入力され、パワーアンプ１１で増幅される。増幅後のＷ−ＣＤＭＡ（Ｂａｎｄ１）送信信号は、送信側フィルタ２１１で高調波除去され、第１共通端子Ｐｃ１から出力される。第１共通端子Ｐｃ１から出力されたＷ−ＣＤＭＡ（Ｂａｎｄ１）送信信号は、図示しないスイッチ回路を介して共通アンテナから送信される。
【００７４】
（ｉｉ）Ｗ−ＣＤＭＡ（Ｂａｎｄ１）受信信号（第１受信信号）の受信時
この場合、スイッチＩＣ３０は、共通ポートと第１個別ポートとが接続されるように、制御されている。
【００７５】
第１共通端子Ｐｃ１から入力されたＷ−ＣＤＭＡ（Ｂａｎｄ１）受信信号は、スイッチＩＣ３０の第１個別ポートへ伝送される。この際、Ｗ−ＣＤＭＡ（Ｂａｎｄ１）受信信号は、送信側フィルタ２１１にも伝送されるが、送信側フィルタ２１１はＷ−ＣＤＭＡ（Ｂａｎｄ１）受信信号の周波数帯域が減衰帯域内であるので、パワーアンプ１１側には、Ｗ−ＣＤＭＡ（Ｂａｎｄ１）受信信号が伝送されない。
【００７６】
Ｗ−ＣＤＭＡ（Ｂａｎｄ１）受信信号は、スイッチＩＣ３０の第１個別ポートから共通ポートへ伝送され、デュプレクサ４０の共通端子へ入力される。
【００７７】
デュプレクサ４０の受信側フィルタ４１２は、Ｗ−ＣＤＭＡ（Ｂａｎｄ１）受信信号を通過させるとともに、高調波のノイズ成分等を除去して、受信信号出力端子Ｐｒｘ１２へ出力する。受信側フィルタ４１２は、不平衡型のＷ−ＣＤＭＡ（Ｂａｎｄ１）受信信号を平衡型へ変換して出力する。この際、Ｗ−ＣＤＭＡ（Ｂａｎｄ１）受信信号は、デュプレクサ４０を構成する送信側フィルタ４１１にも入力されるが、送信側フィルタ４１１はＷ−ＣＤＭＡ（Ｂａｎｄ１）受信信号の周波数帯域が減衰帯域内であるので、パワーアンプ１２側には、Ｗ−ＣＤＭＡ（Ｂａｎｄ１）受信信号が伝送されない。
【００７８】
平衡型のＷ−ＣＤＭＡ（Ｂａｎｄ１）受信信号は、受信信号出力端子Ｐｒｘ１２から、図示しない後段回路（復調回路等）へ出力される。
【００７９】
（ｉｉｉ）Ｗ−ＣＤＭＡ（Ｂａｎｄ４）送信信号（第２送信信号）の送信時
この場合、スイッチＩＣ３０は、共通ポートと第２個別ポートとが接続されるように、制御されている。
【００８０】
Ｗ−ＣＤＭＡ（Ｂａｎｄ４）送信信号は、第２送信信号入力端子Ｐｔｘ２から入力され、パワーアンプ１２で増幅される。増幅後のＷ−ＣＤＭＡ（Ｂａｎｄ４）送信信号は、デュプレクサ送信側フィルタ４１１で高調波除去され、スイッチＩＣ３０の共通ポートに入力される。Ｗ−ＣＤＭＡ（Ｂａｎｄ４）送信信号は、スイッチＩＣ３０の共通ポートから第２個別ポートへ伝送され、第２共通端子Ｐｃ２から出力される。第２共通端子Ｐｃ２から出力されたＷ−ＣＤＭＡ（Ｂａｎｄ４）送信信号は、図示しないスイッチ回路を介して共通アンテナから送信される。
【００８１】
（ｉｖ）Ｗ−ＣＤＭＡ（Ｂａｎｄ４）受信信号（第２受信信号）の受信時
この場合、スイッチＩＣ３０は、共通ポートと第２個別ポートとが接続されるように、制御されている。
【００８２】
第２共通端子Ｐｃ２から入力されたＷ−ＣＤＭＡ（Ｂａｎｄ４）受信信号は、スイッチＩＣ３０の第２個別ポートへ伝送される。
【００８３】
Ｗ−ＣＤＭＡ（Ｂａｎｄ４）受信信号は、スイッチＩＣ３０の第２個別ポートから共通ポートへ伝送され、デュプレクサ４０の共通端子へ入力される。
【００８４】
デュプレクサ４０の受信側フィルタ４１２は、Ｗ−ＣＤＭＡ（Ｂａｎｄ４）受信信号を通過させるとともに、高調波のノイズ成分等を除去して、受信信号出力端子Ｐｒｘ１２へ出力する。受信側フィルタ４１２は、不平衡型のＷ−ＣＤＭＡ（Ｂａｎｄ４）受信信号を平衡型へ変換して出力する。この際、Ｗ−ＣＤＭＡ（Ｂａｎｄ４）受信信号は、デュプレクサ４０を構成する送信側フィルタ４１１にも入力されるが、送信側フィルタ４１１はＷ−ＣＤＭＡ（Ｂａｎｄ４）受信信号の周波数帯域が減衰帯域内であるので、パワーアンプ１２側には、Ｗ−ＣＤＭＡ（Ｂａｎｄ４）受信信号が伝送されない。
【００８５】
平衡型のＷ−ＣＤＭＡ（Ｂａｎｄ４）受信信号は、受信信号出力端子Ｐｒｘ１２から、図示しない後段回路（復調回路等）へ出力される。
【００８６】
このような構成であっても、上述の第１の実施形態と同様に、高周波フロントエンドモジュールを小型に実現することができる。さらに、本実施形態の構成では、二つの送信側フィルタの内の一つの送信側フィルタと受信側フィルタとが一体化され、デュプレクサを構成しているので、さらに小型化が可能になる。
【００８７】
なお、上述の第１の実施形態では、スイッチＩＣ３０の共通ポートに、二種類の受信信号の周波数帯域をともに含む通過帯域からなる一つの受信側フィルタ２０を接続する構成を示した。しかしながら、図５に示すような構成であってもよい。図５はその他の構成からなる高周波フロントエンドモジュール１０Ｂの回路図である。高周波フロントエンドモジュール１０Ｂは、スイッチＩＣ３０の共通ポートに接続する回路構成を除き、第１の実施形態に示した高周波フロントエンドモジュール１０と同じである。したがって、異なる箇所のみを説明する。
【００８８】
スイッチＩＣ３０の共通ポートには、受信側フィルタ５１、５２が一つの筐体に一体化されたデュアル型受信側フィルタ５０が接続されている。受信側フィルタ５１は、第１受信信号の周波数帯域を通過帯域とするフィルタである。例えば、受信側フィルタ５１は不平衡−平衡変換機能を有するＳＡＷフィルタで実現される。受信側フィルタ５２は、第２受信信号の周波数帯域を通過帯域とするフィルタである。例えば、受信側フィルタ５２は不平衡−平衡変換機能を有するＳＡＷフィルタで実現される。
【００８９】
受信側フィルタ５１，５２の不平衡端子は、スイッチＩＣ３０の共通ポートへ接続している。受信側フィルタ５１の平衡端子は、受信信号出力端子Ｐｒｘ１へ接続している。受信側フィルタ５２の平衡端子は、受信信号出力端子Ｐｒｘ２へ接続されている。
【００９０】
受信信号出力端子Ｐｒｘ１，Ｐｒｘ２は、図示しない後段回路（復調回路等）へ接続している。このような構成であっても、従来構成よりも回路を簡素化でき、小型化が可能である。なお、図５の構成において、第１通信信号をＷ−ＣＤＭＡ（Ｂａｎｄ１）通信信号とし、第２通信信号をＷ−ＣＤＭＡ（Ｂａｎｄ４）通信信号とすると、受信側フィルタ５１，５２の通過帯域が一部重なり合い、部分的に、第１受信信号が受信信号出力端子Ｐｒｘ２から出力されたり、第２受信信号が受信信号出力端子Ｐｒｘ１から出力されることになる。この場合には、後段回路で、各受信信号出力端子Ｐｒｘ１，Ｐｒｘ２から出力される信号を、選択すればよい。
【００９１】
また、上述の説明では、第１通信信号をＷ−ＣＤＭＡ（Ｂａｎｄ１）通信信号とし、第２通信信号をＷ−ＣＤＭＡ（Ｂａｎｄ４）通信信号としたが、第２通信信号をＷ−ＣＤＭＡ（Ｂａｎｄ１）通信信号とし、第１通信信号をＷ−ＣＤＭＡ（Ｂａｎｄ４）通信信号としても、上述の構成を適用でき、同様の作用効果を得ることができる。
【００９２】
また、上述の説明では、Ｗ−ＣＤＭＡ（Ｂａｎｄ１）通信信号とＷ−ＣＤＭＡ（Ｂａｎｄ４）通信信号を送受信する場合、すなわち一方の受信信号周波数帯域が他方の受信信号周波数帯域を包含する場合を示したが、受信信号の周波数帯域が部分的に重なる二種類以上の通信信号を送受信する場合にも、上述の構成を適用でき、同様の作用効果を得ることができる。さらには、二種類の受信信号の周波数が極近接する場合、具体的には、第１受信信号の上限周波数と第２受信信号の下限周波数が略一致するような場合にも、上述の構成を適用でき、同様の作用効果を得ることができる。
【符号の説明】
【００９３】
１０，１０Ｐ：高周波フロントエンドモジュール、
１１，１２：パワーアンプ（ＰＡ）、
２０：受信側フィルタ、
２１，２２，４０：デュプレクサ、２１１，２２１，４１１：送信側フィルタ、２１２，２２２，４１２：受信側フィルタ、
３０，３０Ｐ：スイッチＩＣ、
５０：デュアルＳＡＷフィルタ、５１，５２：受信側フィルタ
【図１】
0005360163.tif 000002
【図２】
0005360163.tif 000003
【図３】
0005360163.tif 000004
【図４】
0005360163.tif 000005
【図５】
0005360163.tif 000006